(57)【要約】  【課題】  収集データを直感的に見易い形式でプリントするようにして、収集したデータの調査・分析時において時系列的変化を確認しやすくし、調査・分析時の効率を向上させるようなデータ収集装置、および、収集データプリント方法を提供する。  【解決手段】  プリンタ用紙の印字方向をこれまで用いられていた縦印字から横印字に変更することにより、ある時刻の収集データを、複数項目（例えば１０項目）を縦一列に収めて印字し、さらに各項目の収集データは同じ横一行に印字して、収集データを時系列的に隣接させるため、従来より多い項目の収集データの傾向を容易に確認できるようにした。【選択図】  図７
2005081690.tif 000002
【特許請求の範囲】
【請求項１】
複数項目のデータを収集して収集データを出力するデータ収集部と、
データ収集部から出力された複数項目の収集データを保存するデータ保存部と、
収集データをプリンタ用紙に印字するプリンタ装置と、
複数項目の収集データをプリンタ装置に印字させる中央処理部と、
を備えるデータ収集装置であって、
プリンタ装置は、
印字方向としてプリンタ用紙の送り方向を横方向とし、また、前記送り方向に対して略垂直方向を縦方向とする横印字によりプリントすることを特徴とするデータ収集装置。
【請求項２】
請求項１記載のデータ収集装置において、
プリンタ装置は、プリンタ用紙の送り方向を縦方向とし、前記送り方向に対して略垂直方向を横方向とする縦印字または前記横印字をするようになされ、
収集データの項目数が基準項目数未満である場合は縦印字とし、また、収集データの項目数が基準項目数以上である場合は横印字とするように印字方向を切換えることを特徴とするデータ収集装置。
【請求項３】
請求項１または請求項２に記載のデータ収集装置において、
印字方向の切換え基準となる収集データの基準項目数を予め決定登録しておき、
中央処理部は、収集データの項目数が基準項目数未満である場合は縦印字とし、また、収集データの項目数が基準項目数以上である場合は横印字とするように印字方向を自動的に切換えることを特徴とするデータ収集装置。
【請求項４】
請求項１〜請求項３の何れか一項に記載のデータ収集装置において、
印字方向の切換えを指令する操作部を備え、
操作部から出力される操作信号に応じて中央処理部がプリンタの印字方向を切換えるように制御することを特徴とするデータ収集装置。
【請求項５】
請求項１〜請求項４の何れか一項に記載のデータ収集装置において、
一の項目の収集データは所定時間毎に収集した複数の時間別の収集データであって、この収集データを時系列的に隣接して印字することを特徴とするデータ収集装置。
【請求項６】
請求項５に記載のデータ収集装置において、
横印字ではプリンタ用紙の送り方向に対して垂直方向に項目が、また、前記送り方向に時刻がそれぞれ異なる収集データを印字することを特徴とするデータ収集装置。
【請求項７】
請求項１〜請求項６の何れか一項にデータ収集装置において、
さらに描画機能を有し、プリンタ用紙の送り方向に対して垂直方向にｙ軸となる項目の収集データを、また、前記送り方向にｘ軸となる時刻を表してグラフを描画することを特徴とするデータ収集装置。
【請求項８】
データ収集装置における収集データプリント方法であって、
印字方向としてプリンタ用紙の送り方向を横方向とし、また、前記送り方向に対して略垂直方向を縦方向とする横印字によりプリントし、前記送り方向に対して垂直方向に項目が、また、前記送り方向に時刻がそれぞれ異なる収集データを印字することを特徴とする収集データプリント方法。
【発明の詳細な説明】
【技術分野】
【０００１】
本発明は、プリンタ用紙に収集データをプリントする印刷機能を有するデータ収集装置、および、収集データのプリント形式に係る収集データプリント方法に関する。
【背景技術】
【０００２】
収集データをプリントする機能を有するデータ収集装置は従来より各種装置が存在しているが、ここでは、河川・湖沼等の水質分析を行う分析装置を例に挙げて説明する。この分析装置では河川・湖沼等から試料を採取してＴＮ（全窒素）、ＴＰ（全リン）およびＣＯＤ（化学的酸素要求量）についての時系列的な収集データを蓄積し、プリンタ用紙に印字して排紙する。
【０００３】
このような印字例について図を参照しつつ説明する。図９，１０は、従来技術の印字例を説明する説明図である。分析装置に内蔵されているプリンタ装置でプリンタ用紙に印字する場合、従来技術では図９の印字例で示すように、縦列を時間（測定時刻）とし、また、横行に各測定項目（図９ではＴＮ，ＴＰ，ＣＯＤ）を並べて印字する方式が一般的であった。
【０００４】
また、データ収集装置の他の例として、例えば、特許文献１に記載された装置が知られている。この装置は眼科用測定装置であって、眼に関する各種データを収集し、その結果を印字するというものである。
【０００５】
【特許文献１】特開平６−７２９６号公報（図１１〜図１４）
【発明の開示】
【発明が解決しようとする課題】
【０００６】
さて、分析装置が内蔵するプリンタ装置は一般的にはコンパクトなタイプであり、このようなプリンタ装置で用いられるプリンタ用紙は、小型で、特に用紙幅が狭いタイプである。このようなプリンタ用紙に各測定値を印字する際、測定項目が少ない場合には、図９で示したように幅が狭いプリンタ用紙にも容易に横一行に測定項目を並べることが可能である。
【０００７】
しかしながら、測定項目が多い場合は横一行に測定項目を収めて並べることができず、例えば図１０で示すように、測定時間ごとの測定値を項目名と共に何行かに渡って印字することになる。このため、印字された各項目の測定値を読みとる場合、何行かおきに測定値を読むこととなり、測定値が読みにくいだけでなく経時変化を追いにくくなるという問題があった。
さらに、グラフの印字は困難であるという問題もあった。
【０００８】
そこで、本発明は上記問題点を解決するためになされたものであり、その目的は、収集データを直感的に見易い形式でプリントするようにして、収集したデータの調査・分析時において時系列的変化を確認しやすくし、調査・分析時の効率を向上させるようなデータ収集装置、および、収集データプリント方法を提供することにある。
【課題を解決するための手段】
【０００９】
本発明の請求項１に係るデータ収集装置は、
複数項目のデータを収集して収集データを出力するデータ収集部と、
データ収集部から出力された複数項目の収集データを保存するデータ保存部と、
収集データをプリンタ用紙に印字するプリンタ装置と、
複数項目の収集データをプリンタ装置に印字させる中央処理部と、
を備えるデータ収集装置であって、
プリンタ装置は、
印字方向としてプリンタ用紙の送り方向を横方向とし、また、前記送り方向に対して略垂直方向を縦方向とする横印字によりプリントすることを特徴とする。
【００１０】
また、本発明の請求項２に係るデータ収集装置は、
請求項１記載のデータ収集装置において、
プリンタ装置は、プリンタ用紙の送り方向を縦方向とし、前記送り方向に対して略垂直方向を横方向とする縦印字または前記横印字をするようになされ、
収集データの項目数が基準項目数未満である場合は縦印字とし、また、収集データの項目数が基準項目数以上である場合は横印字とするように印字方向を切換えることを特徴とする。
【００１１】
また、本発明の請求項３に係るデータ収集装置は、
請求項１または請求項２に記載のデータ収集装置において、
印字方向の切換え基準となる収集データの基準項目数を予め決定登録しておき、
中央処理部は、収集データの項目数が基準項目数未満である場合は縦印字とし、また、収集データの項目数が基準項目数以上である場合は横印字とするように印字方向を自動的に切換えることを特徴とする。
【００１２】
また、本発明の請求項４に係るデータ収集装置は、
請求項１〜請求項３の何れか一項に記載のデータ収集装置において、
印字方向の切換えを指令する操作部を備え、
操作部から出力される操作信号に応じて中央処理部がプリンタの印字方向を切換えるように制御することを特徴とする。
【００１３】
また、本発明の請求項５に係るデータ収集装置は、
請求項１〜請求項４の何れか一項に記載のデータ収集装置において、
一の項目の収集データは所定時間毎に収集した複数の時間別の収集データであって、この収集データを時系列的に隣接して印字することを特徴とする。
【００１４】
また、本発明の請求項６に係るデータ収集装置は、
請求項５に記載のデータ収集装置において、
横印字ではプリンタ用紙の送り方向に対して垂直方向に項目が、また、前記送り方向に時刻がそれぞれ異なる収集データを印字することを特徴とする。
【００１５】
また、本発明の請求項７に係るデータ収集装置は、
請求項１〜請求項６の何れか一項にデータ収集装置において、
さらに描画機能を有し、プリンタ用紙の送り方向に対して垂直方向にｙ軸となる項目の収集データを、また、前記送り方向にｘ軸となる時刻を表してグラフを描画することを特徴とする。
【００１６】
また、本発明の請求項８に係る収集データプリント方法は、
データ収集装置における収集データプリント方法であって、
印字方向としてプリンタ用紙の送り方向を横方向とし、また、前記送り方向に対して略垂直方向を縦方向とする横印字によりプリントし、前記送り方向に対して垂直方向に項目が、また、前記送り方向に時刻がそれぞれ異なる収集データを印字する、ことを特徴とする。
【発明の効果】
【００１７】
以上のような本発明によれば、収集データを直感的に見易い形式でプリントするようにして、収集したデータの調査・分析時において時系列的変化を確認しやすくし、調査・分析時の効率を向上させるようなデータ収集装置、および、収集データプリント方法を提供することができる。
【発明を実施するための最良の形態】
【００１８】
本発明を実施するための最良の形態について図に基づき説明する。図１は本形態のデータ収集装置の概略構成図、図２はプリンタ装置の概略ブロック構成図、図３はプリンタ装置の概略構成図、図４は印字処理を示すフローチャート、図５は縦印字されたプリンタ用紙を示す図、図６は横印字されたプリンタ用紙を示す図である。
データ収集装置１０は、図１で示すように、データ収集部１、中央処理部２、操作部３、データ保存部４、プリンタ装置５を備えている。
【００１９】
データ収集部１は、物理量のデータを収集する機能を有しており、中央処理部２からの制御信号を受信したときにデータ収集対象に対して各種センサを用いて物理量を取得し、この物理量について収集データを生成する。そしてこの収集データを中央処理部２へ出力する。このデータ収集部１が収集する項目数は一項目または複数項目である。
【００２０】
中央処理部２は、データ収集部１、操作部３、データ保存部４、プリンタ装置５と接続されており、後述するような各種制御およびデータ通信を行う。
操作部３は、例えば各種操作スイッチである。
データ保存部４は、ＲＡＭのような揮発性メモリやハードディスクなど、収集データを保存できるようになされている。
【００２１】
プリンタ装置５は、図２で示すように、プリンタ装置中央処理部５ａ、印字部５ｂ、メモリ部５ｃ、巻き取り機５ｄを備えている。
さらに具体的には、図３で示すように、押さえ部５ｅ、ロール紙５ｆ、シート５ｇ、表示部５ｈを備えている。プリンタ装置５では、図３でも明らかなように、プリンタ用紙６は押さえ部５ｅとシート５ｇとの間を通るようになされており、印字されたプリンタ用紙６を表示部５ｈで表示することで時間毎に取得された印字内容を確認できるようになっている。
【００２２】
続いてこのようなデータ収集装置１０の処理について概略説明する。まずデータ収集処理であるが、図１で示す中央処理部２はデータ収集部１にデータ収集を指令する制御信号を出力する。データ収集部１は、中央処理部２からの制御信号を受けて測定等により収集データを生成し、この収集データを中央処理部２へ出力する。このデータ収集部１が収集する項目数は一項目または複数項目である。
【００２３】
中央処理部２は、データ保存部４に書き込みの制御信号を出力して収集データを出力する。データ保存部４はこの収集データを書き込む。データ保存部４はこのような書き込み動作を繰り返し行い、データ収集部１から出力された一項目または複数項目の収集データを所定時間毎に登録して時系列的なデータとして収集蓄積する。
【００２４】
続いて印字処理について図４のフローを参照しつつ説明する。
操作部３から印字を指令する操作信号が入力されたとき、あるいは所定時刻に到達したとき、中央処理部２は印字処理を開始する。まず、中央処理部２はデータ保存部４とプリンタ装置５が通信を行うように制御信号を出力する。図２で示すように、プリンタ装置５はプリンタ装置中央処理部５ａがメモリ部５ｃを制御して、データ保存部４から出力される収集データをメモリ部５ｃに書き込む（ステップＳ１）。続いて、プリンタ装置中央処理部５ａのレジスタへ書き込む（ステップＳ２）。
【００２５】
続いて横印字か否かを判断する（ステップＳ３）。この判断には二種類あり、（１）操作部３により印字方向の切り換えを指令する操作信号が予め入力されて横印字であることを指定されている場合、（２）印字項目が操作部３により指定され、予め登録されている基準項目数と比較して横印字か縦印字かを自動的に決定する場合、がある。
なお、（２）の基準項目数も操作部３により指定したり、また、工場出荷時に予めメモリに記憶されて登録されている。
【００２６】
（１）で横印字であることを指定されている場合にはステップＳ４へ進んで横印字コマンドを発行し（ステップＳ４）、横印字であることを指定されていない場合にはステップＳ５へジャンプして縦印字コマンドを発行する（ステップＳ５）。
（２）では印字対象として選択された収集データの項目数が基準項目数以上である場合、中央処理部２は、横印字であるとしてステップＳ４へ進んで横印字コマンドを発行し（ステップＳ４）、選択された収集データの項目数が所定項目数未満である場合、横印字でないとしてステップＳ５へジャンプして縦印字コマンドを発行する（ステップＳ５）。
【００２７】
プリンタ装置中央処理部５ａは、横印字コマンドを受信したとき、例えば、図３の表示部、図４の吹き出し内および図６のような横印字（つまりプリンタ用紙の送り方向を横方向とし、また、送り方向に対して略垂直方向を縦方向とする印字）を選択する。また、縦印字コマンドを受信したとき、例えば図５のような縦印字（プリンタ用紙の送り方向を縦方向とし、また、送り方向に対して略垂直方向を横方向とする印字）を選択する。
【００２８】
図２のプリンタ装置中央処理部５ａは選択した印字方向により印字データを印字部５ｂへ送信し（ステップＳ６）、印字部５ｂに印字させる。印字部５ｂは例えばｎ×ｎ行のマトリクス型のドットインパクト型の印字部であって、縦印字・横印字の切り換えは容易である。
そして、図３で示すように巻き取り機５ｄによりプリンタ用紙６が送られながら印字を行う。この際表示部５ｈを見ることで、印字内容を把握することができる。
【００２９】
このようなプリンタ用紙６は縦印字の場合には図５で示すように印字される。図５で示すように例えば３項目までなら、縦印字により項目毎に時系列的にデータが印字されて見やすいという利点がある。
また、プリンタ用紙６は横印字の場合には図６で示すように印字される。図６で示すように例えば４項目以上では、横印字により項目毎に時系列的にデータが印字されて見やすいという利点がある。
なお、この縦印字・横印字を分ける基準項目数は使用するプリンタ装置・プリンタ用紙の印字幅等により影響される数であり、適宜選択される。
【００３０】
なお本形態ではデータ収集装置が切り替え機能を有するものとして説明した。しかしながら、切り換え機能を有しないような装置としても良く、横印字のみ行うようにしてもよい。この場合、行間を適宜調節（図６のように均等に配置されるようにする）ことで項目数の増減に対処することができる。
また、横印字ではさらに描画機能（実施例１で説明）を有し、プリンタ用紙の送り方向に対して垂直方向にｙ軸となる項目の収集データを、また、送り方向と同じ方向にｘ軸となる時刻を表してグラフを描画するようにしても良い。
【００３１】
以上、本形態について説明した。これらデータ収集装置１０では、項目毎にデータを隣接して印字することで、各項目の測定値を簡単に目で追いながら確認することができ、経時変化を容易に認識することができる。
【実施例１】
【００３２】
続いて、本発明の実施例１について説明する。
本実施例１はデータ収集装置１０の具体例であり、水質分析装置の一例であるＴＮ・ＴＰ・ＣＯＤ分析装置を想定する。この場合、図１で示したデータ収集部１は、水質項目分析・データ収集部となる。
【００３３】
このようなＴＮ・ＴＰ・ＣＯＤ分析装置では水質総量規制を満たすためＴＮ（全窒素）、ＴＰ（全りん）、ＣＯＤ（化学的酸素要求量）の３項目の汚濁負荷量の印字が必要である。汚濁負荷量は水質を表す濃度と排水量を表す流量とを乗じたものであり、全窒素、全りん、ＣＯＤの濃度に加え、採水箇所の流量の計４項目が印字が必要である。これにより計７項目の印字が必要である。またそれぞれの測定値には流路１と２とが存在する場合があり、採水箇所を２カ所とした場合、計１０項目の印字が必要である。
図１０でも示したが、１０項目に時間軸を合わせて、１１項目を横一行には通常印字できない。これまでの縦印字による印字方法では３〜４行に渡って印字することになり、各項目が３〜４行置きに印字されてしまう。そこで、横印字により印字する。
【００３４】
印字例について図を参照しつつ説明する。図７は測定項目が多い場合の横印字によるプリンタ用紙を示す図である。
このような印字によれば、一の項目（例えばＴＮ１濃度（ｍｇ／Ｌ））の毎時のデータが隣接して横方向に並んで印字されるため、同じ項目の時間的な推移が確認でき、比較・分析がしやすいという利点がある。特に管理用の分析計では、経時変化が重要であるため、経時変化を容易に認識することは重要である。
【００３５】
このように印字の向きをこれまでの縦印字から横印字にすることにより、多数項目（図では１０項目）を横一行に収めて印字することが可能となり、各項目は他の項目の印字をはさみ込むことなく、同じ一行で印字されていくため、測定値を容易に確認することができるようになる。
【００３６】
なお、横印字が可能な構成であるため、図８で示すようなグラフ表示が可能となる。図８ではＴＮ（全窒素）、ＴＰ（全りん）、ＣＯＤ（化学的酸素要求量）の３項目の一時間おきの測定値の変化をグラフにより表示している。従来技術のような縦印字のみのプリンタ装置ではグラフの横軸が有限であり、このような表示は不可能であった。本発明で採用する横印字では横軸が長尺となってグラフ印刷を可能としている。
このようなグラフ表示により測定項目の時系列的な挙動を把握でき、分析を更に容易にするという利点がある。
【図面の簡単な説明】
【００３７】
【図１】本発明を実施するための最良の形態のデータ収集装置の概略構成図である。
【図２】プリンタ装置の概略ブロック構成図である。
【図３】プリンタ装置の概略構成図である。
【図４】印字処理を示すフローチャートである。
【図５】縦印字されたプリンタ用紙を示す図である。
【図６】横印字されたプリンタ用紙を示す図である。
【図７】測定項目が多い場合の横印字によるプリンタ用紙を示す図である。
【図８】横印字によりグラフが印刷されたプリンタ用紙を示す図である。
【図９】従来技術の印字例を説明する説明図である。
【図１０】従来技術の印字例を説明する説明図である。
【符号の説明】
【００３８】
１０：データ収集装置
１：データ収集部
２：中央処理部
３：操作部
４：データ保存部
５：プリンタ装置
５ａ：プリンタ装置中央処理部
５ｂ：印字部
５ｃ：メモリ部
５ｄ：巻き取り機
５ｅ：押さえ部
５ｆ：ロール紙
５ｇ：シート
５ｈ：表示部
６：プリンタ用紙
【図１】
2005081690.tif 000003
【図２】
2005081690.tif 000004
【図３】
2005081690.tif 000005
【図４】
2005081690.tif 000006
【図５】
2005081690.tif 000007
【図６】
2005081690.tif 000008
【図７】
2005081690.tif 000009
【図８】
2005081690.tif 000010
【図９】
2005081690.tif 000011
【図１０】
2005081690.tif 000012